【手続補正書】
【提出日】平成17年10月5日(2005.10.5)
【手続補正１】
【補正対象書類名】明細書
【補正対象項目名】発明の名称
【補正方法】変更
【補正の内容】
【発明の名称】デジタル信号受信装置、デジタル信号受信方法、デジタル信号復調回路及びデジタル信号復調方法
【手続補正２】
【補正対象書類名】明細書
【補正対象項目名】特許請求の範囲
【補正方法】変更
【補正の内容】
【特許請求の範囲】
【請求項１】  固定長のパケット形式で時分割多重されたデジタル信号を受信するデジタル信号受信装置であって、
前記デジタル信号の単位フレームの中には１つ以上の階層があり、前記階層毎にそれぞれ設定された長さでバースト的に挿入されているとき、
受信信号を選局するチューナ手段と、
選局された信号を復調する復調手段と、
復調された信号を各階層ごとに前記固定長のパケット単位の信号としてまとめるパケット再生手段と、
パケット単位にまとめられた信号を復号するデータ復号手段と、を具備し、
前記パケット再生手段は、
前記階層別に設けられ、少なくとも前記固定長のパケット相当分の容量を持ち、データ蓄積量のカウンタを持ち、受信信号中の対応する階層のデータを蓄積する複数のパケットバッファと、
前記複数のパケットバッファそれぞれから読み出される有効パケットを選択的に導出するスイッチ手段と、
有効パケットを蓄積するストリームバッファと、
前記ストリームバッファに対して書き込みアドレスと読み出しアドレスを発生するアドレス発生手段と、
前記有効パケットと同一長の無効データであるヌルパケットを発生し、前記ストリームバッファから読み出される有効パケットと、前記ヌルパケットとを選択的に導出するヌルパケット挿入手段と、
シンボルタイミング信号およびシンボル番号を基に、そのシンボル先頭において前記複数のパケットバッファそれぞれに蓄積されているはずのバッファ量を算出する仮想バッファ量算出手段と、
シンボルタイミング信号およびシンボル番号を基に、パケットタイミング信号を出力するパケットタイミング発生手段と、
前記複数のパケットバッファに対し、それぞれのデータ蓄積量を監視するとともに、前記仮想バッファ量算出手段から出力される仮想バッファ量を蓄積量カウンタにロードし、１パケット相当分のデータが蓄積されたパケットバッファから順に蓄積データを有効パケットとして読み出すように制御し、
前記スイッチ手段および前記アドレス発生手段に対して前記パケットバッファから読み出される有効パケットを前記ストリームバッファに導出するように制御し、
前記ストリームバッファに対して、そのデータ蓄積状態を、前記パケットタイミング発生手段から出力されるパケットタイミング毎に監視して、前記ストリームバッファに１パケット以上のデータが蓄積されているときは、その蓄積データを読み出すように前記アドレス発生手段に対して制御し、
前記ヌルパケット挿入手段に対して、前記ストリームバッファから出力される有効パケットの有無に応じて有効パケットとヌルパケットとを選択的に導出するように制御する制御手段と、
を具備することを特徴とするデジタル信号受信装置。
【請求項２】  前記パケットタイミング発生手段は、
前記ストリームバッファの出力データ量を計数し、１パケットを構成する所定のデータ数でリセットされるカウンタを具備し、シンボルタイミング信号およびシンボル番号を基に、そのシンボル先頭において前記ストリームバッファから出力されているデータのうち、１パケットを構成する所定のデータ数に満たない余剰データ量を算出して前記カウンタにロードし、前記カウンタのリセットに合わせてパケットタイミング信号を出力することを特徴とする請求項１記載のデジタル信号受信装置。
【請求項３】  前記制御手段は、
前記複数のパケットバッファに対し、それぞれのデータ蓄積量を監視するとともに、前記仮想バッファ量算出手段から出力される仮想バッファ量を蓄積量カウンタにロードし、１パケット相当分のデータが蓄積されたパケットバッファから順に蓄積データを有効パケットとして読み出すように制御し、
前記スイッチ手段および前記アドレス発生手段に対して前記パケットバッファから読み出される有効パケットを前記ストリームバッファに導出するように制御し、
前記ストリームバッファに対して、そのデータ蓄積状態を、前記パケットタイミング発生手段から出力されるパケットタイミング毎に監視して、前記ストリームバッファに１パケット以上のデータが蓄積されているときは、その蓄積データを読み出すように前記アドレス発生手段に対して制御し、
フレームの先頭において、最初に発生した書き込みアドレスについては、所定の数のパケットタイミングが経過するまで、読み出しを行わないように前記アドレス発生手段に対して制御し、
前記ヌルパケット挿入手段に対して、前記ストリームバッファから出力される有効パケットの有無に応じて有効パケットとヌルパケットとを選択的に導出するように制御することを特徴とする請求項１または２に記載のデジタル信号受信装置。
【請求項４】  前記仮想バッファ量算出手段は、
シンボル番号の連続性を監視し、連続性が途切れた場合に、シンボルタイミング信号およびシンボル番号を基に、そのシンボル先頭において前記複数のパケットバッファそれぞれに蓄積されているはずのバッファ量を算出することを特徴とする請求項１〜３のいずれか１項記載のデジタル信号受信装置。
【請求項５】  前記仮想バッファ量算出手段は、
フレーム同期確立を示すフラグを受け取り、前記フラグが立った場合に、シンボルタイミング信号およびシンボル番号を基に、そのシンボル先頭において前記複数のパケットバッファそれぞれに蓄積されているはずのバッファ量を算出することを特徴とする請求項１〜３のいずれか１項記載のデジタル信号受信装置。
【請求項６】  前記パケットタイミング発生手段は、
前記ストリームバッファの出力データ量を計数し、１パケットを構成する所定のデータ数でリセットされるカウンタを具備し、シンボル番号の連続性を監視し、連続性が途切れた場合に、シンボルタイミング信号およびシンボル番号を基に、そのシンボル先頭において前記ストリームバッファから出力されているデータのうち、１パケットを構成する所定のデータ数に満たない余剰データ量を算出して前記カウンタにロードし、前記カウンタのリセットに合わせてパケットタイミング信号を出力することを特徴とする請求項１〜５のいずれか１項記載のデジタル信号受信装置。
【請求項７】  前記パケットタイミング発生手段は、
前記ストリームバッファの出力データ量を計数し、１パケットを構成する所定のデータ数でリセットされるカウンタを具備し、フレーム同期確立を示すフラグを受け取り、前記フラグが立った場合に、シンボルタイミング信号およびシンボル番号を基に、そのシンボル先頭において前記ストリームバッファから出力されているデータのうち、１パケットを構成する所定のデータ数に満たない余剰データ量を算出して前記カウンタにロードし、前記カウンタのリセットに合わせてパケットタイミング信号を出力することを特徴とする請求項１〜５のいずれか１項記載のデジタル信号受信装置。
【請求項８】  固定長のパケット形式で時分割多重されたデジタル信号を受信するデジタル信号受信装置であって、
前記デジタル信号の単位フレームの中には１つ以上の階層があり、前記階層毎にそれぞれ設定された長さでバースト的に挿入されているとき、
受信信号を選局するチューナ手段と、
選局された信号を復調する復調手段と、
復調された信号を各階層ごとに前記固定長のパケット単位の信号としてまとめるパケット再生手段と、
パケット単位にまとめられた信号を復号するデータ復号手段と、を具備し、
前記パケット再生手段は、
複数のエリアに分割され、前記複数のエリアそれぞれが少なくとも前記固定長のパケット相当分の容量を持ち、受信信号を前記階層毎にパケット単位で蓄積するストリームバッファと、
前記ストリームバッファに対して書き込みアドレスと読み出しアドレスを発生するアドレス発生手段と、
前記有効パケットと同一長の無効データであるヌルパケットを発生し、前記ストリームバッファから読み出される有効パケットと、前記ヌルパケットとを選択的に導出するヌルパケット挿入手段と、
シンボルタイミング信号およびシンボル番号を基に、そのシンボル先頭において前記複数のエリアそれぞれに蓄積されているはずのバッファ量を算出する書き込みカウンタ算出手段と、
シンボルタイミング信号およびシンボル番号を基に、そのシンボル先頭において前記ストリームバッファから出力されているデータのうち、１パケットを構成する所定のデータ数に満たない余剰データ量を算出する読み出しカウンタ算出手段と、
蓄積が完了したエリアのキューとを具備し、
前記階層に対応したエリアそれぞれに対し、前記書き込みカウンタ算出手段から出力されるバッファ量を、データ蓄積量としてロードするとともに、データ蓄積量を監視し、あるエリアがある階層のデータ１パケット分の蓄積を完了した場合に、前記階層の書き込みエリアを、空きエリアにスイッチするとともに、蓄積が完了したエリアを前記キューに追加するように制御し、
前記読み出しカウンタ算出手段から出力される余剰データ量を基に、パケットタイミングを導出し、前記キューを参照して、前記ストリームバッファのデータ蓄積状態を、パケットタイミング毎に監視して、前記ストリームバッファに１パケット以上のデータが蓄積されているときは、その蓄積データを読み出すように前記アドレス発生手段に対して制御し、
前記ヌルパケット挿入手段に対して、前記ストリームバッファから出力される有効パケットの有無に応じて有効パケットとヌルパケットとを選択的に導出するように制御する制御手段と、
を具備することを特徴とするデジタル信号受信装置。
【請求項９】  前記キューの末尾を示すポインタをさらに具備し、
前記制御手段は、
前記階層に対応したエリアそれぞれに対し、前記書き込みカウンタ算出手段から出力されるバッファ量を、データ蓄積量としてロードするとともに、データ蓄積量を監視し、あるエリアがある階層のデータ１パケット分の蓄積を完了した場合に、前記階層の書き込みエリアを、空きエリアにスイッチするとともに、蓄積が完了したエリアを前記キューに追加するように制御し、
前記読み出しカウンタ算出手段から出力される余剰データ量を基に、パケットタイミングを導出し、前記キューを参照して、前記ストリームバッファのデータ蓄積状態を、パケットタイミング毎に監視して、前記ストリームバッファに１パケット以上のデータが蓄積されているときは、その蓄積データを読み出すように前記アドレス発生手段に対して制御し、
フレームの先頭において、前記ポインタの値を、所定の値に初期化するように制御し、
前記ヌルパケット挿入手段に対して、前記ストリームバッファから出力される有効パケットの有無に応じて有効パケットとヌルパケットとを選択的に導出するように制御することを特徴とする請求項８記載のデジタル信号受信装置。
【請求項１０】  前記書き込みカウンタ算出手段は、
シンボル番号の連続性を監視し、連続性が途切れた場合に、シンボルタイミング信号およびシンボル番号を基に、そのシンボル先頭において前記複数のエリアそれぞれに蓄積されているはずのバッファ量を算出することを特徴とする請求項８または９に記載のデジタル信号受信装置。
【請求項１１】  前記書き込みカウンタ算出手段は、
フレーム同期確立を示すフラグを受け取り、前記フラグが立った場合に、シンボルタイミング信号およびシンボル番号を基に、そのシンボル先頭において前記複数のエリアそれぞれに蓄積されているはずのバッファ量を算出することを特徴とする請求項８または９に記載のデジタル信号受信装置。
【請求項１２】  前記読み出しカウンタ算出手段は、
シンボル番号の連続性を監視し、連続性が途切れた場合に、シンボルタイミング信号およびシンボル番号を基に、そのシンボル先頭において前記ストリームバッファから出力されているデータのうち、１パケットを構成する所定のデータ数に満たない余剰データ量を算出することを特徴とする請求項８〜１１のいずれか１項記載のデジタル信号受信装置。
【請求項１３】  前記読み出しカウンタ算出手段は、
フレーム同期確立を示すフラグを受け取り、前記フラグが立った場合に、シンボルタイミング信号およびシンボル番号を基に、そのシンボル先頭において前記ストリームバッファから出力されているデータのうち、１パケットを構成する所定のデータ数に満たない余剰データ量を算出することを特徴とする請求項８〜１１のいずれか１項記載のデジタル信号受信装置。
【請求項１４】  前記ヌルパケット挿入手段は、
前記有効パケットと同一長の無効データであるヌルパケットを発生するヌルパケット発生手段と、
前記ストリームバッファから読み出される有効パケットと、前記ヌルパケット発生手段より発生されるヌルパケットとを選択的に導出するスイッチ手段と、
を具備することを特徴とする請求項１〜１３のいずれか１項記載のデジタル信号受信装置。
【請求項１５】  固定長のパケット形式で時分割多重されたデジタル信号を受信するデジタル信号受信装置におけるデジタル信号受信方法であって、
前記デジタル信号の単位フレームの中には１つ以上の階層があり、前記階層毎にそれぞれ設定された長さでバースト的に挿入されているとき、
受信信号を選局するチューナ手段と、
選局された信号を復調する復調手段と、
復調された信号を各階層ごとに前記固定長のパケット単位の信号としてまとめるパケット再生手段と、
パケット単位にまとめられた信号を復号するデータ復号手段と、を具備し、
前記パケット再生手段は、
前記階層別に設けられ、少なくとも前記固定長のパケット相当分の容量を持ち、データ蓄積量のカウンタを持ち、受信信号中の対応する階層のデータを蓄積する複数のパケットバッファと、
前記複数のパケットバッファそれぞれから読み出される有効パケットを選択的に導出するスイッチ手段と、
有効パケットを蓄積するストリームバッファと、
前記ストリームバッファに対して書き込みアドレスと読み出しアドレスを発生するアドレス発生手段と、
前記有効パケットと同一長の無効データであるヌルパケットを発生し、前記ストリームバッファから読み出される有効パケットと、前記ヌルパケットとを選択的に導出するヌルパケット挿入手段と、
シンボルタイミング信号およびシンボル番号を基に、そのシンボル先頭において前記複数のパケットバッファそれぞれに蓄積されているはずのバッファ量を算出する仮想バッファ量算出手段と、
シンボルタイミング信号およびシンボル番号を基に、パケットタイミング信号を出力するパケットタイミング発生手段と、
を具備し、
前記複数のパケットバッファに対し、それぞれのデータ蓄積量を監視するとともに、前記仮想バッファ量算出手段から出力される仮想バッファ量を蓄積量カウンタにロードし、１パケット相当分のデータが蓄積されたパケットバッファから順に蓄積データを有効パケットとして読み出すように制御し、
前記スイッチ手段および前記アドレス発生手段に対して前記パケットバッファから読み出される有効パケットを前記ストリームバッファに導出するように制御し、
前記ストリームバッファに対して、そのデータ蓄積状態を、前記パケットタイミング発生手段から出力されるパケットタイミング毎に監視して、前記ストリームバッファに１パケット以上のデータが蓄積されているときは、その蓄積データを読み出すように前記アドレス発生手段に対して制御し、
前記ヌルパケット挿入手段に対して、前記ストリームバッファから出力される有効パケットの有無に応じて有効パケットとヌルパケットとを選択的に導出するように制御することを特徴とするデジタル信号受信方法。
【請求項１６】  固定長のパケット形式で時分割多重されたデジタル信号を受信するデジタル信号受信装置におけるデジタル信号受信方法であって、
前記デジタル信号の単位フレームの中には１つ以上の階層があり、前記階層毎にそれぞれ設定された長さでバースト的に挿入されているとき、
受信信号を選局するチューナ手段と、
選局された信号を復調する復調手段と、
復調された信号を各階層ごとに前記固定長のパケット単位の信号としてまとめるパケット再生手段と、
パケット単位にまとめられた信号を復号するデータ復号手段と、を具備し、
前記パケット再生手段は、
複数のエリアに分割され、前記複数のエリアそれぞれが少なくとも前記固定長のパケット相当分の容量を持ち、受信信号を前記階層毎にパケット単位で蓄積するストリームバッファと、
前記ストリームバッファに対して書き込みアドレスと読み出しアドレスを発生するアドレス発生手段と、
前記有効パケットと同一長の無効データであるヌルパケットを発生し、前記ストリームバッファから読み出される有効パケットと、前記ヌルパケットとを選択的に導出するヌルパケット挿入手段と、
シンボルタイミング信号およびシンボル番号を基に、そのシンボル先頭において前記複数のエリアそれぞれに蓄積されているはずのバッファ量を算出する書き込みカウンタ算出手段と、
シンボルタイミング信号およびシンボル番号を基に、そのシンボル先頭において前記ストリームバッファから出力されているデータのうち、１パケットを構成する所定のデータ数に満たない余剰データ量を算出する読み出しカウンタ算出手段と、
蓄積が完了したエリアのキューと、
を具備し、
前記階層に対応したエリアそれぞれに対し、前記書き込みカウンタ算出手段から出力されるバッファ量を、データ蓄積量としてロードするとともに、データ蓄積量を監視し、あるエリアがある階層のデータ１パケット分の蓄積を完了した場合に、前記階層の書き込みエリアを、空きエリアにスイッチするとともに、蓄積が完了したエリアを前記キューに追加するように制御し、
前記読み出しカウンタ算出手段から出力される余剰データ量を基に、パケットタイミングを導出し、前記キューを参照して、前記ストリームバッファのデータ蓄積状態を、パケットタイミング毎に監視して、前記ストリームバッファに１パケット以上のデータが蓄積されているときは、その蓄積データを読み出すように前記アドレス発生手段に対して制御し、
前記ヌルパケット挿入手段に対して、前記ストリームバッファから出力される有効パケットの有無に応じて有効パケットとヌルパケットとを選択的に導出するように制御することを特徴とするデジタル信号受信方法。
【請求項１７】  固定長のパケット形式で時分割多重されたデジタル信号を復調するデジタル信号復調回路であって、
前記デジタル信号の単位フレームの中には１つ以上の階層があり、前記階層毎にそれぞれ設定された長さでバースト的に挿入されているとき、
入力された信号を復調する復調手段と、
復調された信号を各階層ごとに前記固定長のパケット単位の信号としてまとめるパケット再生手段と、を具備し、
前記パケット再生手段は、
前記階層別に設けられ、少なくとも前記固定長のパケット相当分の容量を持ち、データ蓄積量のカウンタを持ち、受信信号中の対応する階層のデータを蓄積する複数のパケットバッファと、
前記複数のパケットバッファそれぞれから読み出される有効パケットを選択的に導出するスイッチ手段と、
有効パケットを蓄積するストリームバッファと、
前記ストリームバッファに対して書き込みアドレスと読み出しアドレスを発生するアドレス発生手段と、
前記有効パケットと同一長の無効データであるヌルパケットを発生し、前記ストリームバッファから読み出される有効パケットと、前記ヌルパケットとを選択的に導出するヌルパケット挿入手段と、
シンボルタイミング信号およびシンボル番号を基に、そのシンボル先頭において前記複数のパケットバッファそれぞれに蓄積されているはずのバッファ量を算出する仮想バッファ量算出手段と、
シンボルタイミング信号およびシンボル番号を基に、パケットタイミング信号を出力するパケットタイミング発生手段と、
前記複数のパケットバッファに対し、それぞれのデータ蓄積量を監視するとともに、前記仮想バッファ量算出手段から出力される仮想バッファ量を蓄積量カウンタにロードし、１パケット相当分のデータが蓄積されたパケットバッファから順に蓄積データを有効パケットとして読み出すように制御し、
前記スイッチ手段および前記アドレス発生手段に対して前記パケットバッファから読み出される有効パケットを前記ストリームバッファに導出するように制御し、
前記ストリームバッファに対して、そのデータ蓄積状態を、前記パケットタイミング発生手段から出力されるパケットタイミング毎に監視して、前記ストリームバッファに１パケット以上のデータが蓄積されているときは、その蓄積データを読み出すように前記アドレス発生手段に対して制御し、
前記ヌルパケット挿入手段に対して、前記ストリームバッファから出力される有効パケットの有無に応じて有効パケットとヌルパケットとを選択的に導出するように制御する制御手段と、
を具備することを特徴とするデジタル信号復調回路。
【請求項１８】  固定長のパケット形式で時分割多重されたデジタル信号を復調するデジタル信号復調回路であって、
前記デジタル信号の単位フレームの中には１つ以上の階層があり、前記階層毎にそれぞれ設定された長さでバースト的に挿入されているとき、
入力された信号を復調する復調手段と、
復調された信号を各階層ごとに前記固定長のパケット単位の信号としてまとめるパケット再生手段と、を具備し、
前記パケット再生手段は、
複数のエリアに分割され、前記複数のエリアそれぞれが少なくとも前記固定長のパケット相当分の容量を持ち、受信信号を前記階層毎にパケット単位で蓄積するストリームバッファと、
前記ストリームバッファに対して書き込みアドレスと読み出しアドレスを発生するアドレス発生手段と、
前記有効パケットと同一長の無効データであるヌルパケットを発生し、前記ストリームバッファから読み出される有効パケットと、前記ヌルパケットとを選択的に導出するヌルパケット挿入手段と、
シンボルタイミング信号およびシンボル番号を基に、そのシンボル先頭において前記複数のエリアそれぞれに蓄積されているはずのバッファ量を算出する書き込みカウンタ算出手段と、
シンボルタイミング信号およびシンボル番号を基に、そのシンボル先頭において前記ストリームバッファから出力されているデータのうち、１パケットを構成する所定のデータ数に満たない余剰データ量を算出する読み出しカウンタ算出手段と、
蓄積が完了したエリアのキューを具備し、
前記階層に対応したエリアそれぞれに対し、前記書き込みカウンタ算出手段から出力されるバッファ量を、データ蓄積量としてロードするとともに、データ蓄積量を監視し、あるエリアがある階層のデータ１パケット分の蓄積を完了した場合に、前記階層の書き込みエリアを、空きエリアにスイッチするとともに、蓄積が完了したエリアを前記キューに追加するように制御し、
前記読み出しカウンタ算出手段から出力される余剰データ量を基に、パケットタイミングを導出し、前記キューを参照して、前記ストリームバッファのデータ蓄積状態を、パケットタイミング毎に監視して、前記ストリームバッファに１パケット以上のデータが蓄積されているときは、その蓄積データを読み出すように前記アドレス発生手段に対して制御し、
前記ヌルパケット挿入手段に対して、前記ストリームバッファから出力される有効パケットの有無に応じて有効パケットとヌルパケットとを選択的に導出するように制御する制御手段と、
を具備することを特徴とするデジタル信号復調回路。
【請求項１９】  固定長のパケット形式で時分割多重されたデジタル信号を復調するデジタル信号復調方法であって、
前記デジタル信号の単位フレームの中には１つ以上の階層があり、前記階層毎にそれぞれ設定された長さでバースト的に挿入されているとき、
入力された信号を復調する復調手段と、
復調された信号を各階層ごとに前記固定長のパケット単位の信号としてまとめるパケット再生手段と、を具備し、
前記パケット再生手段は、
前記階層別に設けられ、少なくとも前記固定長のパケット相当分の容量を持ち、データ蓄積量のカウンタを持ち、受信信号中の対応する階層のデータを蓄積する複数のパケットバッファと、
前記複数のパケットバッファそれぞれから読み出される有効パケットを選択的に導出するスイッチ手段と、
有効パケットを蓄積するストリームバッファと、
前記ストリームバッファに対して書き込みアドレスと読み出しアドレスを発生するアドレス発生手段と、
前記有効パケットと同一長の無効データであるヌルパケットを発生し、前記ストリームバッファから読み出される有効パケットと、前記ヌルパケットとを選択的に導出するヌルパケット挿入手段と、
シンボルタイミング信号およびシンボル番号を基に、そのシンボル先頭において前記複数のパケットバッファそれぞれに蓄積されているはずのバッファ量を算出する仮想バッファ量算出手段と、
シンボルタイミング信号およびシンボル番号を基に、パケットタイミング信号を出力するパケットタイミング発生手段と、
前記複数のパケットバッファに対し、それぞれのデータ蓄積量を監視するとともに、前記仮想バッファ量算出手段から出力される仮想バッファ量を蓄積量カウンタにロードし、１パケット相当分のデータが蓄積されたパケットバッファから順に蓄積データを有効パケットとして読み出すように制御し、
前記スイッチ手段および前記アドレス発生手段に対して前記パケットバッファから読み出される有効パケットを前記ストリームバッファに導出するように制御し、
前記ストリームバッファに対して、そのデータ蓄積状態を、前記パケットタイミング発生手段から出力されるパケットタイミング毎に監視して、前記ストリームバッファに１パケット以上のデータが蓄積されているときは、その蓄積データを読み出すように前記アドレス発生手段に対して制御し、
前記ヌルパケット挿入手段に対して、前記ストリームバッファから出力される有効パケットの有無に応じて有効パケットとヌルパケットとを選択的に導出するように制御することを特徴とするデジタル信号復調方法。
【請求項２０】  固定長のパケット形式で時分割多重されたデジタル信号を復調するデジタル信号復調方法であって、
前記デジタル信号の単位フレームの中には１つ以上の階層があり、前記階層毎にそれぞれ設定された長さでバースト的に挿入されているとき、
入力された信号を復調する復調手段と、
復調された信号を各階層ごとに前記固定長のパケット単位の信号としてまとめるパケット再生手段と、を具備し、
前記パケット再生手段は、
複数のエリアに分割され、前記複数のエリアそれぞれが少なくとも前記固定長のパケット相当分の容量を持ち、受信信号を前記階層毎にパケット単位で蓄積するストリームバッファと、
前記ストリームバッファに対して書き込みアドレスと読み出しアドレスを発生するアドレス発生手段と、
前記有効パケットと同一長の無効データであるヌルパケットを発生し、前記ストリームバッファから読み出される有効パケットと、前記ヌルパケットとを選択的に導出するヌルパケット挿入手段と、
シンボルタイミング信号およびシンボル番号を基に、そのシンボル先頭において前記複数のエリアそれぞれに蓄積されているはずのバッファ量を算出する書き込みカウンタ算出手段と、
シンボルタイミング信号およびシンボル番号を基に、そのシンボル先頭において前記ストリームバッファから出力されているデータのうち、１パケットを構成する所定のデータ数に満たない余剰データ量を算出する読み出しカウンタ算出手段と、
蓄積が完了したエリアのキューを具備し、
前記階層に対応したエリアそれぞれに対し、前記書き込みカウンタ算出手段から出力されるバッファ量を、データ蓄積量としてロードするとともに、データ蓄積量を監視し、あるエリアがある階層のデータ１パケット分の蓄積を完了した場合に、前記階層の書き込みエリアを、空きエリアにスイッチするとともに、蓄積が完了したエリアを前記キューに追加するように制御し、
前記読み出しカウンタ算出手段から出力される余剰データ量を基に、パケットタイミングを導出し、前記キューを参照して、前記ストリームバッファのデータ蓄積状態を、パケットタイミング毎に監視して、前記ストリームバッファに１パケット以上のデータが蓄積されているときは、その蓄積データを読み出すように前記アドレス発生手段に対して制御し、
前記ヌルパケット挿入手段に対して、前記ストリームバッファから出力される有効パケットの有無に応じて有効パケットとヌルパケットとを選択的に導出するように制御することを特徴とするデジタル信号復調方法。
【手続補正３】
【補正対象書類名】明細書
【補正対象項目名】００１６
【補正方法】変更
【補正の内容】
【００１６】
【課題を解決するための手段】
本願の請求項１の発明は、固定長のパケット形式で時分割多重されたデジタル信号を受信するデジタル信号受信装置であって、前記デジタル信号の単位フレームの中には１つ以上の階層があり、前記階層毎にそれぞれ設定された長さでバースト的に挿入されているとき、受信信号を選局するチューナ手段と、選局された信号を復調する復調手段と、復調された信号を各階層ごとに前記固定長のパケット単位の信号としてまとめるパケット再生手段と、パケット単位にまとめられた信号を復号するデータ復号手段と、を具備し、前記パケット再生手段は、前記階層別に設けられ、少なくとも前記固定長のパケット相当分の容量を持ち、データ蓄積量のカウンタを持ち、受信信号中の対応する階層のデータを蓄積する複数のパケットバッファと、前記複数のパケットバッファそれぞれから読み出される有効パケットを選択的に導出するスイッチ手段と、有効パケットを蓄積するストリームバッファと、前記ストリームバッファに対して書き込みアドレスと読み出しアドレスを発生するアドレス発生手段と、前記有効パケットと同一長の無効データであるヌルパケットを発生し、前記ストリームバッファから読み出される有効パケットと、前記ヌルパケットとを選択的に導出するヌルパケット挿入手段と、シンボルタイミング信号およびシンボル番号を基に、そのシンボル先頭において前記複数のパケットバッファそれぞれに蓄積されているはずのバッファ量を算出する仮想バッファ量算出手段と、シンボルタイミング信号およびシンボル番号を基に、パケットタイミング信号を出力するパケットタイミング発生手段と、前記複数のパケットバッファに対し、それぞれのデータ蓄積量を監視するとともに、前記仮想バッファ量算出手段から出力される仮想バッファ量を蓄積量カウンタにロードし、１パケット相当分のデータが蓄積されたパケットバッファから順に蓄積データを有効パケットとして読み出すように制御し、前記スイッチ手段および前記アドレス発生手段に対して前記パケットバッファから読み出される有効パケットを前記ストリームバッファに導出するように制御し、前記ストリームバッファに対して、そのデータ蓄積状態を、前記パケットタイミング発生手段から出力されるパケットタイミング毎に監視して、前記ストリームバッファに１パケット以上のデータが蓄積されているときは、その蓄積データを読み出すように前記アドレス発生手段に対して制御し、前記ヌルパケット挿入手段に対して、前記ストリームバッファから出力される有効パケットの有無に応じて有効パケットとヌルパケットとを選択的に導出するように制御する制御手段と、を具備することを特徴とする。
【手続補正４】
【補正対象書類名】明細書
【補正対象項目名】００１７
【補正方法】変更
【補正の内容】
【００１７】
本願の請求項２の発明は、請求項１に従属する発明であって、前記パケットタイミング発生手段は、前記ストリームバッファの出力データ量を計数し、１パケットを構成する所定のデータ数でリセットされるカウンタを具備し、シンボルタイミング信号およびシンボル番号を基に、そのシンボル先頭において前記ストリームバッファから出力されているデータのうち、１パケットを構成する所定のデータ数に満たない余剰データ量を算出して前記カウンタにロードし、前記カウンタのリセットに合わせてパケットタイミング信号を出力することを特徴とする。
【手続補正５】
【補正対象書類名】明細書
【補正対象項目名】００１８
【補正方法】変更
【補正の内容】
【００１８】
本願の請求項３の発明は、請求項１または２に従属する発明であって、前記制御手段は、前記複数のパケットバッファに対し、それぞれのデータ蓄積量を監視するとともに、前記仮想バッファ量算出手段から出力される仮想バッファ量を蓄積量カウンタにロードし、１パケット相当分のデータが蓄積されたパケットバッファから順に蓄積データを有効パケットとして読み出すように制御し、前記スイッチ手段および前記アドレス発生手段に対して前記パケットバッファから読み出される有効パケットを前記ストリームバッファに導出するように制御し、前記ストリームバッファに対して、そのデータ蓄積状態を、前記パケットタイミング発生手段から出力されるパケットタイミング毎に監視して、前記ストリームバッファに１パケット以上のデータが蓄積されているときは、その蓄積データを読み出すように前記アドレス発生手段に対して制御し、フレームの先頭において、最初に発生した書き込みアドレスについては、所定の数のパケットタイミングが経過するまで、読み出しを行わないように前記アドレス発生手段に対して制御し、前記ヌルパケット挿入手段に対して、前記ストリームバッファから出力される有効パケットの有無に応じて有効パケットとヌルパケットとを選択的に導出するように制御することを特徴とする。
【手続補正６】
【補正対象書類名】明細書
【補正対象項目名】００１９
【補正方法】変更
【補正の内容】
【００１９】
本願の請求項４の発明は、請求項１〜３いずれかに従属する発明であって、前記仮想バッファ量算出手段は、シンボル番号の連続性を監視し、連続性が途切れた場合に、シンボルタイミング信号およびシンボル番号を基に、そのシンボル先頭において前記複数のパケットバッファそれぞれに蓄積されているはずのバッファ量を算出することを特徴とする。
【手続補正７】
【補正対象書類名】明細書
【補正対象項目名】００２０
【補正方法】変更
【補正の内容】
【００２０】
本願の請求項５の発明は、請求項１〜３いずれかに従属する発明であって、前記仮想バッファ量算出手段は、フレーム同期確立を示すフラグを受け取り、前記フラグが立った場合に、シンボルタイミング信号およびシンボル番号を基に、そのシンボル先頭において前記複数のパケットバッファそれぞれに蓄積されているはずのバッファ量を算出することを特徴とする。
【手続補正８】
【補正対象書類名】明細書
【補正対象項目名】００２１
【補正方法】変更
【補正の内容】
【００２１】
本願の請求項６の発明は、請求項１〜５いずれかに従属する発明であって、前記パケットタイミング発生手段は、前記ストリームバッファの出力データ量を計数し、１パケットを構成する所定のデータ数でリセットされるカウンタを具備し、シンボル番号の連続性を監視し、連続性が途切れた場合に、シンボルタイミング信号およびシンボル番号を基に、そのシンボル先頭において前記ストリームバッファから出力されているデータのうち、１パケットを構成する所定のデータ数に満たない余剰データ量を算出して前記カウンタにロードし、前記カウンタのリセットに合わせてパケットタイミング信号を出力することを特徴とする。
【手続補正９】
【補正対象書類名】明細書
【補正対象項目名】００２２
【補正方法】変更
【補正の内容】
【００２２】
本願の請求項７の発明は、請求項１〜５いずれかに従属する発明であって、前記パケットタイミング発生手段は、前記ストリームバッファの出力データ量を計数し、１パケットを構成する所定のデータ数でリセットされるカウンタを具備し、フレーム同期確立を示すフラグを受け取り、前記フラグが立った場合に、シンボルタイミング信号およびシンボル番号を基に、そのシンボル先頭において前記ストリームバッファから出力されているデータのうち、１パケットを構成する所定のデータ数に満たない余剰データ量を算出して前記カウンタにロードし、前記カウンタのリセットに合わせてパケットタイミング信号を出力することを特徴とする。
【手続補正１０】
【補正対象書類名】明細書
【補正対象項目名】００２３
【補正方法】変更
【補正の内容】
【００２３】
本願の請求項８の発明は、固定長のパケット形式で時分割多重されたデジタル信号を受信するデジタル信号受信装置であって、前記デジタル信号の単位フレームの中には１つ以上の階層があり、前記階層毎にそれぞれ設定された長さでバースト的に挿入されているとき、受信信号を選局するチューナ手段と、選局された信号を復調する復調手段と、復調された信号を各階層ごとに前記固定長のパケット単位の信号としてまとめるパケット再生手段と、パケット単位にまとめられた信号を復号するデータ復号手段と、を具備し、前記パケット再生手段は、複数のエリアに分割され、前記複数のエリアそれぞれが少なくとも前記固定長のパケット相当分の容量を持ち、受信信号を前記階層毎にパケット単位で蓄積するストリームバッファと、前記ストリームバッファに対して書き込みアドレスと読み出しアドレスを発生するアドレス発生手段と、前記有効パケットと同一長の無効データであるヌルパケットを発生し、前記ストリームバッファから読み出される有効パケットと、前記ヌルパケットとを選択的に導出するヌルパケット挿入手段と、シンボルタイミング信号およびシンボル番号を基に、そのシンボル先頭において前記複数のエリアそれぞれに蓄積されているはずのバッファ量を算出する書き込みカウンタ算出手段と、シンボルタイミング信号およびシンボル番号を基に、そのシンボル先頭において前記ストリームバッファから出力されているデータのうち、１パケットを構成する所定のデータ数に満たない余剰データ量を算出する読み出しカウンタ算出手段と、蓄積が完了したエリアのキューとを具備し、前記階層に対応したエリアそれぞれに対し、前記書き込みカウンタ算出手段から出力されるバッファ量を、データ蓄積量としてロードするとともに、データ蓄積量を監視し、あるエリアがある階層のデータ１パケット分の蓄積を完了した場合に、前記階層の書き込みエリアを、空きエリアにスイッチするとともに、蓄積が完了したエリアを前記キューに追加するように制御し、前記読み出しカウンタ算出手段から出力される余剰データ量を基に、パケットタイミングを導出し、前記キューを参照して、前記ストリームバッファのデータ蓄積状態を、パケットタイミング毎に監視して、前記ストリームバッファに１パケット以上のデータが蓄積されているときは、その蓄積データを読み出すように前記アドレス発生手段に対して制御し、前記ヌルパケット挿入手段に対して、前記ストリームバッファから出力される有効パケットの有無に応じて有効パケットとヌルパケットとを選択的に導出するように制御する制御手段とを具備する。
【手続補正１１】
【補正対象書類名】明細書
【補正対象項目名】００２４
【補正方法】変更
【補正の内容】
【００２４】
本願の請求項９の発明は、請求項８に従属する発明であって、前記キューの末尾を示すポインタをさらに具備し、前記制御手段は、前記階層に対応したエリアそれぞれに対し、前記書き込みカウンタ算出手段から出力されるバッファ量を、データ蓄積量としてロードするとともに、データ蓄積量を監視し、あるエリアがある階層のデータ１パケット分の蓄積を完了した場合に、前記階層の書き込みエリアを、空きエリアにスイッチするとともに、蓄積が完了したエリアを前記キューに追加するように制御し、前記読み出しカウンタ算出手段から出力される余剰データ量を基に、パケットタイミングを導出し、前記キューを参照して、前記ストリームバッファのデータ蓄積状態を、パケットタイミング毎に監視して、前記ストリームバッファに１パケット以上のデータが蓄積されているときは、その蓄積データを読み出すように前記アドレス発生手段に対して制御し、フレームの先頭において、前記ポインタの値を、所定の値に初期化するように制御し、前記ヌルパケット挿入手段に対して、前記ストリームバッファから出力される有効パケットの有無に応じて有効パケットとヌルパケットとを選択的に導出するように制御することを特徴とする。
【手続補正１２】
【補正対象書類名】明細書
【補正対象項目名】００２５
【補正方法】変更
【補正の内容】
【００２５】
本願の請求項１０の発明は、請求項８または９に従属する発明であって、前記書き込みカウンタ算出手段は、シンボル番号の連続性を監視し、連続性が途切れた場合に、シンボルタイミング信号およびシンボル番号を基に、そのシンボル先頭において前記複数のエリアそれぞれに蓄積されているはずのバッファ量を算出することを特徴とする。
【手続補正１３】
【補正対象書類名】明細書
【補正対象項目名】００２６
【補正方法】変更
【補正の内容】
【００２６】
本願の請求項１１の発明は、請求項８または９に従属する発明であって、前記書き込みカウンタ算出手段は、フレーム同期確立を示すフラグを受け取り、前記フラグが立った場合に、シンボルタイミング信号およびシンボル番号を基に、そのシンボル先頭において前記複数のエリアそれぞれに蓄積されているはずのバッファ量を算出することを特徴とする。
【手続補正１４】
【補正対象書類名】明細書
【補正対象項目名】００２７
【補正方法】変更
【補正の内容】
【００２７】
本願の請求項１２の発明は、請求項８〜１１のいずれかに従属する発明であって、前記読み出しカウンタ算出手段は、シンボル番号の連続性を監視し、連続性が途切れた場合に、シンボルタイミング信号およびシンボル番号を基に、そのシンボル先頭において前記ストリームバッファから出力されているデータのうち、１パケットを構成する所定のデータ数に満たない余剰データ量を算出することを特徴とする。
【手続補正１５】
【補正対象書類名】明細書
【補正対象項目名】００２８
【補正方法】変更
【補正の内容】
【００２８】
本願の請求項１３の発明は、請求項８〜１１のいずれかに従属する発明であって、前記読み出しカウンタ算出手段は、フレーム同期確立を示すフラグを受け取り、前記フラグが立った場合に、シンボルタイミング信号およびシンボル番号を基に、そのシンボル先頭において前記ストリームバッファから出力されているデータのうち、１パケットを構成する所定のデータ数に満たない余剰データ量を算出することを特徴とする。
【手続補正１６】
【補正対象書類名】明細書
【補正対象項目名】００２９
【補正方法】変更
【補正の内容】
【００２９】
本願の請求項１４の発明は、請求項１〜１３のいずれかに従属する発明であって、前記ヌルパケット挿入手段は、前記有効パケットと同一長の無効データであるヌルパケットを発生するヌルパケット発生手段と、前記ストリームバッファから読み出される有効パケットと、前記ヌルパケット発生手段より発生されるヌルパケットとを選択的に導出するスイッチ手段とを具備することを特徴とする。
【手続補正１７】
【補正対象書類名】明細書
【補正対象項目名】００３０
【補正方法】削除
【補正の内容】
【手続補正１８】
【補正対象書類名】明細書
【補正対象項目名】００３１
【補正方法】削除
【補正の内容】
【手続補正１９】
【補正対象書類名】明細書
【補正対象項目名】００３２
【補正方法】削除
【補正の内容】
【手続補正２０】
【補正対象書類名】明細書
【補正対象項目名】００３３
【補正方法】削除
【補正の内容】
【手続補正２１】
【補正対象書類名】明細書
【補正対象項目名】００３４
【補正方法】削除
【補正の内容】
【手続補正２２】
【補正対象書類名】明細書
【補正対象項目名】００３５
【補正方法】削除
【補正の内容】
【手続補正２３】
【補正対象書類名】明細書
【補正対象項目名】００３６
【補正方法】削除
【補正の内容】
【手続補正２４】
【補正対象書類名】明細書
【補正対象項目名】００３７
【補正方法】削除
【補正の内容】
【手続補正２５】
【補正対象書類名】明細書
【補正対象項目名】００３８
【補正方法】削除
【補正の内容】
【手続補正２６】
【補正対象書類名】明細書
【補正対象項目名】００３９
【補正方法】削除
【補正の内容】
【手続補正２７】
【補正対象書類名】明細書
【補正対象項目名】００４０
【補正方法】削除
【補正の内容】
【手続補正２８】
【補正対象書類名】明細書
【補正対象項目名】００４１
【補正方法】削除
【補正の内容】
【手続補正２９】
【補正対象書類名】明細書
【補正対象項目名】００４２
【補正方法】削除
【補正の内容】
【手続補正３０】
【補正対象書類名】明細書
【補正対象項目名】００４３
【補正方法】削除
【補正の内容】